(57)【要約】【課題】違法行為を無理なく確実に排除できる遊技機を提供する。【解決手段】遊技メダルを遊技者に払出すメダル払出制御基板５５に直流電流を供給すると共に、遊技メダルを払出すべきメダル払出信号ＰＡＹをメダル払出制御基板５５に出力する主制御基板５０を設け、主制御基板５０には、メダル払出制御基板５５に供給される直流電流の値を検出する電流センス部９０と、電流センス部９０で検出された電流値が異常レベルか否かを判定する異常判定部９１と、異常判定部９１が異常判定したことを記憶する異常記憶部９２と、異常判定出力に基づいて異常報知をする報知部と、が設けられ、異常判定出力は、遊技機の電源投入時か、或いは、係員によるスイッチ操作時に消去されるようになっている。【選択図】図６
2010158300.tif 000002
【特許請求の範囲】
【請求項１】
遊技媒体の動作に対応して所定のスイッチ信号がＯＮ状態となると、乱数値に基づく抽選処理を実行して、遊技者に有利な遊技状態を発生させるか否かを決定する遊技機であって、
遊技媒体を遊技者に払出す周辺回路に直流電流を供給すると共に、前記遊技媒体を払出すべき指示信号を前記周辺回路に出力する上流側回路を設け、
前記上流側回路には、前記周辺回路に供給される前記直流電流の値を検出する電流センス部と、前記電流センス部で検出された電流値が異常レベルか否かを判定する異常判定部と、前記異常判定部が異常判定したことを記憶する異常記憶部と、前記異常判定出力に基づいて異常報知をする報知部と、が設けられ、
前記異常判定出力は、遊技機の電源投入時か、或いは、係員によるスイッチ操作時に消去されるようになっていることを特徴とする遊技機。
【請求項２】
遊技媒体の動作に対応して所定のスイッチ信号がＯＮ状態となると、乱数値に基づく抽選処理を実行して、遊技者に有利な遊技状態を発生させるか否かを決定する遊技機であって、
周辺回路に直流電流を供給する一方、前記周辺回路から前記スイッチ信号を取得する上流側回路基板を設け、
前記上流側回路には、前記周辺回路に供給される前記直流電流の値を検出する電流センス部と、前記電流センス部で検出された電流値が異常レベルか否かを判定する異常判定部と、前記異常判定部が異常判定したことを記憶する異常記憶部と、前記異常判定出力に基づいて異常報知をする報知部と、が設けられ、
前記異常判定出力は、遊技機の電源投入時か、或いは、係員によるスイッチ操作時に消去されるようになっていることを特徴とする遊技機。
【請求項３】
前記遊技機はスロットマシンであって、前記異常判定出力は、各回のゲーム終了後、又は、ゲーム開始前にチェックされる請求項１に記載の遊技機。
【請求項４】
前記異常判定出力は、定時的に繰り返しチェックされる請求項２に記載の遊技機。
【請求項５】
前記電流センス部で検出された電流値がゼロの場合だけが、異常レベルと判定される請求項１〜４の何れかに記載の遊技機。
【請求項６】
前記電流センス部は、前記直流電流が流通する検出抵抗を配置して構成される請求項１〜５の何れかに記載の遊技機。
【請求項７】
前記電流センス部は、前記周辺回路から帰還する検査電流が流入する検出抵抗を配置して構成される請求項１〜５の何れかに記載の遊技機。
【請求項８】
前記異常判定部は、前記直流電流が途絶えると二値信号の出力レベルを変化させるよう構成され、
前記異常記憶部は、前記異常判定部の出力レベルが変化したことを記憶するフリップフロップで構成されている請求項１〜７の何れかに記載の遊技機。
【請求項９】
前記上流側回路基板には、前記スイッチ信号を受けて電圧レベルを変換すると共に、前記周辺回路が断線状態となったことを検出して異常検出信号を出力するインタフェイス回路を設けられ、
前記報知部は、前記異常検出信号と、異常記憶部の記憶内容とを把握した上で、前記異常報知動作を実行する請求項２に記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【先行技術文献】
【特許文献】
【０００５】
【特許文献１】特開２００５−１４３６５６号公報
【発明の概要】
【発明が解決しようとする課題】
【０００６】
ところが、メダル払出信号ＰＡＹがＬレベルになると、払出モータが回転を始めるので、この関係を悪用して、配線コネクタの部分でメダル払出信号の信号ラインをグランドに落とす違法行為が懸念されるところである。そこで、かかる違法行為を排除するべく各種の防犯回路が提案されているが（特許文献１）、如何に優れた防犯回路を搭載したところで、いわゆる「ぶら下げ基板」を用いた違法行為に対しては無力となる。
【０００７】
ここで、「ぶら下げ基板」とは、正規の回路基板と正規の回路基板との間に、配置される違法回路基板であり、この違法回路基板において所望の違法信号が生成されて出力されると、せっかくの防犯機能が無力化されてしまう。但し、防犯機能を強化する余り、過敏に過ぎる対応をしたのでは、遊技者を白けさせてしまうおそれがある。
【０００８】
本発明は、上記の問題点に鑑みてなされたものであって、違法行為を無理なく確実に排除できる遊技機を提供することを目的とする。
【課題を解決するための手段】
【０００９】
上記の目的を達成するため、請求項１に係る発明は、遊技媒体の動作に対応して所定のスイッチ信号がＯＮ状態となると、乱数値に基づく抽選処理を実行して、遊技者に有利な遊技状態を発生させるか否かを決定する遊技機であって、遊技媒体を遊技者に払出す周辺回路に直流電流を供給すると共に、前記遊技媒体を払出すべき指示信号を前記周辺回路に出力する上流側回路を設け、前記上流側回路には、前記周辺回路に供給される前記直流電流の値を検出する電流センス部と、前記電流センス部で検出された電流値が異常レベルか否かを判定する異常判定部と、前記異常判定部が異常判定したことを記憶する異常記憶部と、前記異常判定出力に基づいて異常報知をする報知部と、が設けられ、前記異常判定出力は、遊技機の電源投入時か、或いは、係員によるスイッチ操作時に消去されるようになっている。
【００１０】
また、請求項２に係る発明は、遊技媒体の動作に対応して所定のスイッチ信号がＯＮ状態となると、乱数値に基づく抽選処理を実行して、遊技者に有利な遊技状態を発生させるか否かを決定する遊技機であって、周辺回路に直流電流を供給する一方、前記周辺回路から前記スイッチ信号を取得する上流側回路基板を設け、前記上流側回路には、前記周辺回路に供給される前記直流電流の値を検出する電流センス部と、前記電流センス部で検出された電流値が異常レベルか否かを判定する異常判定部と、前記異常判定部が異常判定したことを記憶する異常記憶部と、前記異常判定出力に基づいて異常報知をする報知部と、が設けられ、前記異常判定出力は、遊技機の電源投入時か、或いは、係員によるスイッチ操作時に消去されるようになっている。
【００１１】
上記した各発明では、直流電流の供給を維持した状態で異常報知を実行することができるので、遊技者を白けることのない防犯機能を発揮することができる。もっとも、防犯機能を強化するためには、異常記憶部の異常判定出力に基づいて前記直流電流の供給を停止する給電停止部を設けるのが好ましい。何れにしても、上記の各発明では、係員によるスイッチ操作を経ない限り、異常報知が継続されるので、確実な防犯機能を発揮することができる。
【００１２】
請求項１に係る遊技機は、好ましくは、スロットマシンであって、前記異常判定出力は、各回のゲーム終了後、又はゲーム開始前にチェックされる。一方、請求項２に係る遊技機は、好ましくは弾球遊技機であって、前記異常判定出力は、定時的に繰り返しチェックされる。
【００１３】
但し、遊技機の種類に拘わらず、前記電流センス部で検出された電流値がゼロの場合だけが、異常レベルと判定されるのが好ましい。ここで、前記電流センス部は、前記直流電流が流通する検出抵抗を配置して構成されるか、或いは、前記周辺回路から帰還する検査電流が流入する検出抵抗を配置して構成されるのが好ましい。
【００１４】
典型的には、前記異常判定部は、前記直流電流が途絶えると二値信号の出力レベルを変化させるよう構成され、前記異常記憶部は、前記異常判定部の出力レベルが変化したことを記憶するフリップフロップで構成されている。
【００１５】
また、請求項２に係る発明の場合、前記上流側回路基板には、前記スイッチ信号を受けて電圧レベルを変換すると共に、前記周辺回路が断線状態となったことを検出して異常検出信号を出力するインタフェイス回路を設け、前記報知部は、前記異常検出信号と、異常記憶部の記憶内容とを把握した上で、前記異常報知動作を実行するのが好ましい。
【発明の効果】
【００１６】
上記した本発明によれば、違法行為を無理なく確実に排除する遊技機を実現することができる。
【図面の簡単な説明】
【００１７】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板の要部と、主制御基板とメダル払出制御基板との接続関係を示すブロック図である。
【図７】メダル払出制御基板の回路構成を示す回路図である。
【図８】主制御部におけるメダル払出動作を説明するフローチャートである。
【図９】払出動作時におけるメダル払出制御基板の動作を説明する図面である。
【図１０】払出禁止時におけるメダル払出制御基板の動作を説明する図面である。
【図１１】第２実施例の回路構成を示す回路図である。
【図１２】第３実施例の回路構成を示す回路図である。
【図１３】弾球遊技機に適用した第４実施例の回路構成を示す回路図である。
【図１４】図１３の一部を詳細に示す回路図である。
【発明を実施するための形態】
【００１８】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００１９】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００２０】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００２１】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００２２】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００２３】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００２４】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２５】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２６】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２７】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２８】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００２９】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００３０】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００３１】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００３２】
図６（ａ）は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ５Ｖと、ＤＣ２４Ｖとを受けている。ここで、各回路基板５０，６３，５５は、配線コネクタＣＮ１〜ＣＮ４を経由して隣接する回路基板と接続されている。
【００３３】
図６（ａ）に示す通り、主制御基板５０の出力部は、メダル払出信号ＰＡＹを出力する信号出力部７０と、異常検出時に異常検出信号ＥＲＲを出力する電源制御部７１とを有して構成されている。そして、メダル払出信号ＰＡＹとＤＣ５Ｖとは、ＤＣ２４Ｖ及びグランド信号を含んだ他の信号と共に、配線コネクタＣＮ１から出力されている。
【００３４】
信号出力部７０は、メダルの払出枚数に対応するパルス幅τを有する駆動パルスＳＧを受けてスイッチング動作をするバイポーラ型トランジスタＱａと、トランジスタＱａのベース抵抗Ｒａとで構成されている。図示の通り、トランジスタＱａのベース端子は、ベース抵抗Ｒａを通して駆動パルスＳＧを受けており、エミッタ端子は、グランドに接続されている。また、トランジスタＱａのコレクタ端子は、メダル払出信号ＰＡＹの出力端子として、コネクタＣＮ１に接続されている。
【００３５】
図７に示す通り、メダル払出信号ＰＡＹは、メダル払出制御基板５５のフォトカプラＰＣ（発光ダイオードＤ）の電流流出端子に供給され、フォトカプラＰＣの電流流入端子には、電流制限抵抗Ｒ１を通して、電源制御部７１の出力が供給されている。正常状態では、電源制御部７１の出力は、ほぼＤＣ５Ｖであるので、フォトカプラＰＣに流れるＯＮ電流Ｉｏｎは、Ｉｏｎ≒（５−Ｖｆ）／Ｒ１となる。なお、Ｖｆは、フォトカプラＰＣでの降下電圧である。
【００３６】
また、電源制御部７１とグランド間には、メダル払出制御基板５５において、検出抵抗Ｒ２が接続されている。そのためコネクタＣＮ１〜ＣＮ４が全て接続されている正常状態では、アイドル電流Ｉ（≒５／Ｒ２）が定常的に流れる。一方、コネクタＣＮ１〜ＣＮ４の何れかが外されると、それまで流れていたアイドル電流Ｉがゼロとなる。
【００３７】
図６（ｂ）に示す通り、駆動パルスＳＧは、払出動作時にだけＨレベルとなり、それ以外の定常状態では、Ｌレベルを維持する。そのため、トランジスタＱａは、払出動作時にだけＯＮ動作し、それ以外の定常時にはＯＦＦ状態を維持する。その結果、電源制御部７１がＤＣ５Ｖを出力している正常時には、メダル払出信号ＰＡＹは、駆動パルスＳＧがＨレベルとなる払出動作時にだけＬレベルとなり、それ以外の定常状態ではＨレベルを維持する。
【００３８】
図６（ｃ）は、電源制御部７１の回路構成の一例を示す回路図である。この電源制御部７１は、コネクタＣＮ１〜ＣＮ４の何れかが外されると異常検出信号ＥＲＲを出力する異常検出機能と、異常検出時にメダル払出制御基板５５への給電を停止する電源遮断機能とを有している。具体的には、電源制御部７１は、電源電流値Ｉｓを検出する電流センス部９０と、異常判定部９１と、異常記憶部９２と、給電停止部９３とを有している。なお、電源電流Ｉｓは、アイドル電流Ｉと、フォトカプラＰＣの電流（＝Ｉｏｎ又は０）との総和値である。
【００３９】
電流センス部９０は、シャント抵抗Ｒｓと、電流シャントモニタＡＰと、負荷抵抗ＲＬとで構成されている。電流シャントモニタＡＰとして、この実施例ではTexas Instrument社のＩＮＡ１３９(CURRENT SHUNT MONITOR)を使用している。このＩＣは、増幅部と出力トランジスタとを有し、シャント抵抗Ｒｓの両端電圧に比例する電流を出力トランジスタから出力するよう構成されている。そして、負荷抵抗ＲＬの両端には、ＤＣ５Ｖラインの電源電流値Ｉｓに比例した検出電圧Ｅｏ（Ｅｏ∝Ｒｓ＊ＲＬ＊Ｉｓ）が得られる。
【００４０】
異常判定部９１は、具体的にはコンパレータＣＰで構成されており、負入力端子（−）には負荷抵抗ＲＬの両端電圧が供給され、正入力端子（＋）には、分圧抵抗Ｒ２０，Ｒ２１によって分圧された基準電圧Ｅｒが供給されている。基準電圧Ｅｒは、ほぼ５＊Ｒ２１／（Ｒ２０＋Ｒ２１）であって、正常な電源電流Ｉｓ（Ｉｓ＝Ｉ、又はＩｓ＝Ｉｏｎ＋Ｉ）が流れている時の検出電圧Ｅｏより低い値に設定されている。すなわち、電源電流値Ｉｓは、フォトカプラＰＣのＯＮ動作時にはＩｓ＝Ｉｏｎ＋Ｉであり、ＯＦＦ動作時にはＩｓ＝Ｉであるが、Ｉｓ＝Ｉの最小状態でも、Ｅｒ＜Ｅｏとなるよう基準電圧Ｅｒが設定されている。なお、コネクタＣＮ１〜ＣＮ４が外される異常時には、Ｅｏ≒０となるので、当然ながらＥｒ＞Ｅｏとなる。
【００４１】
異常記憶部９２は、２つのＮＯＲゲートＧ２，Ｇ３をたすき状に接続したＲＳフリップフロップで構成されている。図６（ｄ）に真理値表を示す通り、Ｒ入力端子がＬレベルの状態で、Ｓ入力端子がＨレベルに立ち上がるとＱ出力端子がＨレベルとなり、その後、Ｓ入力端子がＬレベルに戻ってもＱ出力端子は、Ｈレベルを維持する。一方、Ｓ入力端子がＬレベルの状態で、Ｒ入力端子がＨレベルに立ち上がるとＱ出力端子がＬレベルとなり、その後、Ｒ入力端子がＬレベルに戻ってもＱ出力端子は、Ｌレベルを維持する。
【００４２】
異常記憶部９２のＳ入力端子は、コンパレータＣＰの出力端子に接続され、Ｒ入力端子には、主制御部５０が出力するリセット信号ＲＳＴが供給されるようになっている。主制御部５０は、遊技機の電源投入時に一回だけ、リセット信号ＲＳＴを出力する。
【００４３】
異常記憶部９２のＲ入力端子には、クリアスイッチＣＬＲの手動操作時にも、リセット信号ＲＳＴが供給される。クリアスイッチＣＬＲは、係員が所有する合鍵のみで操作可能であり、自動的にＯＦＦ状態に戻る跳ね返りスイッチである。そして、図示の通り、ＤＣ５Ｖとグランドとの間で、プルダウン抵抗Ｒ３０に直列接続されている。したがって、リセット信号ＲＳＴは、通常はＬレベルであり、クリアスイッチＣＬＲをＯＮ操作したときにＨレベルとなる。
【００４４】
一方、異常記憶部９２のＱ出力端子は、異常検出信号ＥＲＲとして、主制御部５０の入力ポートに接続されている。ここで、Ｑ出力端子がＨレベルの状態、つまり、ＲＳフリップフロップのセット状態が異常検出状態となる。
【００４５】
主制御部５０は、各回のゲーム終了毎に入力ポートのレベルを判定し、異常検出信号ＥＲＲが異常レベルであれば異常対応処理を実行する。具体的には、例えば「コネクタ異常を検出したので給電を停止しました。係員を呼んで下さい。」というような画面を表示してゲームの進行を停止する。そして、駆けつけた係員が、異常の有無を確認して正常状態に復旧させた後、合鍵を使用してクリアスイッチＣＬＲをＯＮ操作すると、ＲＳフリップフロップがリセット状態に復帰することになる。
【００４６】
このように、本実施例では、主制御部５０は、遊技機の電源投入時に一回だけリセット信号ＲＳＴを出力し、それ以降はリセット信号ＲＳＴを出力しないので、違法遊技を有効に防止することができる。すなわち、この構成に代えて、例えば、メダル払出動作に先行して、毎回、主制御部５０がリセット信号ＲＳＴを出力する場合には、違法基板を装着した後、例えば、清算ボタン１４を押してクレジット状態のメダルを払出すだけで、電源遮断状態を解消できることになり違法遊技を防止できないおそれがある。
【００４７】
ところで、ノイズなどによるフリップフロップの誤動作の可能性を考慮すると、給電停止部９３は、これを省略することもできる。給電停止部９３を設けない場合には、異常検出時にも給電が継続されるので、防犯機能が低下する可能性があるが、実際には、上記した異常対応処理によって違法行為を確実に防止することができる。
【００４８】
もっとも、この実施例には、防犯機能を強化する趣旨から、ＰチャンネルＭＯＳトランジスタＱｂを用いた給電停止部９３を設けられている。すなわち、本実施例では、図示の通り、トランジスタＱｂのゲート端子には、異常記憶部９２のＱ出力端子が接続されている。また、トランジスタＱｂのソース端子にはシャント抵抗Ｒｓを経由してＤＣ５Ｖが供給されている。
【００４９】
そのため、異常記憶部９２のＱ出力端子がＬレベルとなると、トランジスタＱｂがＯＮ動作して、トランジスタＱｂのドレイン端子からＤＣ５Ｖの直流電圧が出力される。そして、この時、主制御基板５０のトランジスタＱａがＯＮ状態であれば、ＤＣ５Ｖ→シャント抵抗Ｒｓ→トランジスタＱｂ→電流制限抵抗Ｒ１→フォトカプラＰＣ→トランジスタＱａの経路で電流が流れてフォトカプラＰＣがＯＮ動作する。
【００５０】
以上、図６（ｂ）に図示した電源制御部７１の回路構成を説明したので、次に、電源制御部７１の動作内容を確認的に説明する。フォトカプラＰＣがＯＮ状態であるかＯＦＦ状態であるかに限らず、コネクタＣＮ１〜ＣＮ４が接続されている限り、電流センス部９０の検出電圧Ｅｏは、基準電圧Ｅｒより高い（Ｅｏ＞Ｅｒ）。そのため、異常記憶部９２のＳ入力端子は、定常的にＬレベルとなる。
【００５１】
この定常状態で、異常記憶部９２のＲ入力端子にリセット信号ＲＳＴが供給されると、異常記憶部９２のＱ出力端子はＬレベルとなる。すると、トランジスタＱｂがＯＮ動作して、トランジスタＱｂのドレイン端子から、メダル払出制御基板５５にＤＣ５Ｖが供給されるので、フォトカプラＰＣのＯＮ／ＯＦＦ状態に対応して、メダル払出動作か払出停止動作が正常に実行される。
【００５２】
ところが、トランジスタＱａがＯＦＦ状態である払出禁止状態（定常状態）において、違法回路基板を接続するべく、配線コネクタＣＮ１〜ＣＮ４の何れかが外されることもあり得る。しかし、このような場合には、何れかの配線コネクタが取り外された瞬間に、シャント抵抗Ｒｓの電流がゼロとなるので、電流センス部９０の検出電圧Ｅｏが、基準電圧Ｅｒを下回る（Ｅｏ＜Ｅｒ）。そのため、異常記憶部９２のＳ入力端子がＨレベルに立上ることで、異常記憶部９２のＱ出力端子がＨレベルとなる。すると、トランジスタＱｂがＯＦＦ状態となって、メダル払出制御基板５５への給電が途絶えるので、メダル払出動作が開始されることはない。
【００５３】
また、主制御部５０は、各回のゲーム終了時に、入力ポートを通して異常検出信号ＥＲＲを取得しているので、これが異常レベル（Ｈレベル）であれば異常対応処理を実行する。具体的な動作内容は、先に例示した通りであり、異常発生を報知する画面表示をしてゲームの進行を停止する。
【００５４】
なお、違法回路基板の装着が完了して電源電流Ｉｓが復帰すると、Ｅｏ＞Ｅｒの状態に戻ることで、異常記憶部９２のＳ入力端子がＬレベルに戻る。しかし、Ｑ出力端子はＨレベルに維持されるので、電源電圧（ＤＣ５Ｖ）の給電が停止されたままとなり、違法回路基板を機能させることはできない。
【００５５】
図７は、メダル払出制御基板５５の回路構成を具体的に図示したものである。なお、払出中継基板６３は、各種の信号を分配して伝送するだけであるので図示を省略している。
【００５６】
図６に関して説明した通り、メダル払出制御基板５５は、コネクタＣＮ４を通して払出中継基板６３に接続され、主制御基板５０から、ＤＣ２４Ｖ、ＤＣ５Ｖ、及びメダル払出信号ＰＡＹを受けている。そして、メダル払出制御基板５５のコネクタＣＮ５には、払出モータＭＯが接続されて、メダル払出信号ＰＡＹがアクティブレベル（Ｌレベル）であれば、払出モータＭＯがＤＣ２４Ｖを受けて連続して回転するようになっている。
【００５７】
メダル払出制御基板５５には、フォトカプラＰＣによる信号伝送回路８１と、バイポーラトランジスタＱ３，Ｑ４による電流制限回路８２と、ＭＯＳトランジスタＱ５による駆動制御回路８３と、ＭＯＳトランジスタＱ６による制動回路８４とが設けられている。なお、電源制御部７１の出力ラインとグランド間に検出抵抗Ｒ２が接続されているので、検出抵抗Ｒ２には、定常的にアイドル電流Ｉ≒５／Ｒ２が流れている。
【００５８】
信号伝送回路８１は、電流制限抵抗Ｒ１と、フォトカプラＰＣの発光ダイオードＤとの直列回路で構成され、主制御基板５０の電源制御部７１が出力するＤＣ５Ｖと、トランジスタＱａが出力するメダル払出信号ＰＡＹとを受けて機能している。すなわち、ＤＣ５Ｖの給電状態で、フォトカプラＰＣが、Ｌレベルのメダル払出信号ＰＡＹを受けると、発光ダイオードＤが発光してフォトトランジスタＴｒがＯＮ動作する。そして、トランジスタＴｒのＯＮ動作に対応してＤＣ２４Ｖが給電可能となり、電流制限回路８２や駆動制御回路８３が動作可能となる。
【００５９】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００６０】
トランジスタＱ３のエミッタ端子は、フォトカプラのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００６１】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００６２】
駆動制御回路８３は、ＮチャンネルＭＯＳトランジスタＱ５と、バイアス抵抗Ｒ９と、コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００６３】
制動回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１と、ポリスイッチＲＴとで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００６４】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００６５】
ポリスイッチＲＴは、ＰチャンネルＭＯＳトランジスタＱ２のドレイン端子と払出モータＭＯの（＋）端子との間に接続されている。ここでポリスイッチとは、ポリマー系のＰＴＣ（Positive Temperature Coefficient)サーミスタであり、素子温度が所定値より上昇すると、正常状態では１Ω以下の抵抗値が、急激に増加して１０４Ω〜１０６Ω程度になる特性を有している。したがって、例えば、払出モータＭＯの配線の短絡などによって過大電流が流れる場合には、ＤＣ２４Ｖの電源ラインを開放状態にする役目を果たす。なお、このポリスイッチＲＴは、電流制限回路８２が機能しないようなトラブル時に大きな意義がある。
【００６６】
続いて、主制御部５０において実行されるメダル払出処理について図８のフローチャートに基づいて説明する。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００６７】
一方、このようにしてクレジット数が上限値に達するか、或いは、もともと上限値に達している場合には、メダル払出信号ＰＡＹをＯＮレベル（Ｌレベル）にする（ＳＴ１５）。具体的には、主制御部５０のトランジスタＱａをＯＮ動作させることで、メダル払出制御基板５５のフォトカプラＰＣをＯＮ動作させる。その結果、払出モータＭＯが回転を開始してメダルの払出が開始される。
【００６８】
メダル払出動作が開始されると、次に、払出センサＳＥ（図５）がメダル払出を検出したか否か判定され（ＳＴ１６）、所定の待機時間、メダルの払出が検出されるのを待つ（ＳＴ１８）。そして、メダルの払出が検出されれば、払出枚数を減算し（ＳＴ１７）、残余払出枚数が０になるまで同じ動作を繰返す。
【００６９】
一方、所定の待機時間を超えても、払出センサＳＥがメダルの払出を検出しない場合は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００７０】
このような処理を繰返していると、やがて、残余払出枚数が０になるので（ＳＴ１３）、メダル払出信号ＰＡＹをＯＦＦレベルにして処理を終える（ＳＴ１４）。具体的には、主制御部５０のトランジスタＱａをＯＦＦ動作させることで、メダル払出制御基板５５のフォトカプラＰＣをＯＦＦ動作させる。この結果、払出モータＭＯの回転が停止される。
【００７１】
図９〜図１０は、メダル払出動作を説明するための図面である。先ず、主制御部５０のトランジスタＱａがＯＮ状態となった場合（ＳＴ１５）について、図９に基づいて説明する。
【００７２】
トランジスタＱａがＯＮ状態である場合には、電源制御部７１（ＤＣ５Ｖ）→抵抗Ｒ１→フォトカプラの発光ダイオードＤ→トランジスタＱａの経路でＯＮ電流が流れ、フォトカプラＰＣがＯＮ状態となる。そして、ＯＮ状態のフォトカプラＰＣのトランジスタＴｒを通過する直流電流は、ダイオードＤ１→抵抗Ｒ６→Ｒ７の経路に流れる。また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００７３】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００７４】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００７５】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００７６】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ１８の経路で電流が流れると共に、ダイオードＤ１→抵抗Ｒ６→抵抗Ｒ１８の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００７７】
次に、図１０に基づいて、主制御部５０のトランジスタＱａがＯＦＦ状態となった場合（ＳＴ１３）の動作を説明する。
【００７８】
この場合にはトランジスタＱａがＯＦＦ状態となることから、フォトカプラＰＣはＯＦＦ状態となり、トランジスタＱ３，Ｑ４，Ｑ５はＯＮ状態とならない。但し、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００７９】
このトランジスタＱ６のＯＮ動作は、フォトカプラＰＣのＯＮからＯＦＦへの遷移時に実行されるので、発電機として機能する払出モータＭＯの出力電流がトランジスタＱ６の短絡電流として吸収され、払出モータＭＯの回転にブレーキがかかる。そのため、本実施例の構成によれば、慣性力によるメダルの過払いが防止される。
【００８０】
払出モータが停止された後、トランジスタＱａはＯＦＦ状態を維持するが、例えば、違法回路基板を装着して、メダル払出信号ＰＡＹをグランドに落とすと、フォトカプラＰＣがＯＮ動作して、払出モータＭＯが回転を開始することになる。しかし、この実施例では、配線コネクタＣ１〜Ｃ４の何れかを外した瞬間にＤＣ５Ｖの電源電圧の給電が停止されるので、違法回路基板を使用しても、メダル払出動作を開始させることはできない。
【００８１】
なお、主制御基板５０から給電されるＤＣ２４Ｖを降圧させてＤＣ５Ｖを生成する違法回路基板もあり得ることを想定すると、ＤＣ２４Ｖの電源ラインにも、図６（ｃ）と同様の電源制御部７１を設けておくのが好ましい。
【００８２】
図１１は、ＤＣ２４ＶとＤＣ５Ｖの各電源ラインについて、同期して給電を停止する電源制御部７１を示す回路図である。この電源制御部７１では、給電停止部９３は、異常記憶部９２のＱ出力を受けるトランジスタＱｂと、異常記憶部９２のＱバー出力を受けるＮチャンネルＭＯＳトランジスタＱｃと、トランジスタＱｃのドレイン端子とＤＣ２４Ｖの電源ラインとの間に接続されたバイアス抵抗Ｒ２２と、トランジスタＱｃのＯＮ動作に対応してＯＮ動作するＰチャンネルＭＯＳトランジスタＱｄとで構成されている。
【００８３】
図示の通り、トランジスタＱｃのゲート端子は、異常記憶部９２のＱバー出力端子に接続され、ソース端子はグランドに接続され、ドレイン端子は、バイアス抵抗Ｒ２２及びトランジスタＱｄのゲート端子に接続されている。そして、トランジスタＱｄのソース端子には、ＤＣ２４Ｖが給電され、ドレイン端子は、配線コネクタＣＮ１に接続されている。
【００８４】
定常状態では、異常記憶部９２のＱバー出力がＨレベルであるので、トランジスタＱｃがＯＮ動作してバイアス抵抗Ｒ２２に、トランジスタＱｃのＯＮ電流が流れる。そのため、トランジスタＱｄもＯＮ動作して、メダル払出制御基板５５に対して、ＤＣ２４Ｖが給電される。なお、このタイミングでは、トランジスタＱｂもＯＮ動作して、ＤＣ５Ｖも給電されている。
【００８５】
一方、配線コネクタＣＮ１〜ＣＮ４の何れかが外されると、異常記憶部９２のＱバー出力がＬレベルに変化するので、トランジスタＱｃとトランジスタＱｄとがＯＦＦ状態となってＤＣ２４Ｖの給電が停止される。また、トランジスタＱｂも同期してＯＦＦ動作して、ＤＣ５Ｖの給電が停止されるので、例え、違法回路基板にＤＣ−ＤＣコンバータなどを配置しても、払出モータＭＯを回転させることはできない。また、ＲＳフリップフロップのＱ出力端子の異常検出信号ＥＲＲがＨレベルとなるので、主制御部５０では異常対応処理が実行される。
【００８６】
ところで、上記の実施例では、定常的なアイドル電流Ｉを、メダル払出制御基板５５に配置した検出抵抗Ｒ２に流す回路構成を採ったが、この構成に代えて、主制御基板５０に配置した検出抵抗Ｒ２にアイドル電流Ｉを流すのも好適である。図１２は、この回路例であり、メダル払出制御基板５５に配置された電流制限抵抗Ｒ１の上流点は、主制御基板５０に帰還されて、検出抵抗Ｒ２に接続されている。
【００８７】
図示の通り検出抵抗Ｒ２は、コンパレータＣＰの負入力端子（−）とグランド間に接続されており、検出電圧Ｅｏは、トランジスタＱｂがＯＮ動作している給電状態では、正常値Ｅｏ≒５となる。
【００８８】
そして、基準電圧Ｅｒは、Ｅｒ≒５＊Ｒ２１／（Ｒ２０＋Ｒ２１）であり、正常な検出電圧Ｅｏ≒５より十分に低い値に設定されている（Ｅｒ＜Ｅｏ）。一方、コネクタＣＮ１〜ＣＮ４が外される異常時には、Ｅｏ≒０となるので、Ｅｒ＞Ｅｏとなる。そのため、異常判定部９１や異常記憶部９２は、図１１や図６（ｃ）の場合と同様に動作して、コネクタ分離後の給電を継続的に停止させる。
【００８９】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。
【００９０】
また、弾球遊技機の図柄始動口に本発明を適用するのも好適である。ここで、図柄始動口には、遊技球の通過を検出する検出スイッチが内蔵されており、この検出スイッチがＯＮ状態となると、乱数値に基づいた抽選処理が実行され、これに当選すると遊技者に有利な大当り状態が発生して、大量の遊技球が遊技者に払出されるようになっている。
【００９１】
そのため、このような動作を悪用して、図柄始動口の検出スイッチを付け替える違法行為も懸念されるところである。すなわち、検出スイッチには、ＤＣ電源が供給されるので、このＤＣ電源を悪用して違法回路を機能させることも可能となる。
【００９２】
図１３は、かかる違法行為を検出して、異常対応処理を実現する弾球遊技機を示す回路図である。この弾球遊技機は、電源基板２００と、遊技制御動作を中心統括的に担う主制御基板２１０と、主制御基板２１０から受けた制御コマンドＣＭＤに基づいてランプ演出及び音声演出を実行する演出制御基板２２０と、演出制御基板２２０から受けた制御コマンドＣＭＤ’に基づいて液晶ディスプレイＤＩＳＰを駆動する液晶制御基板２３０と、主制御基板２１０から受けた制御コマンドＣＭＤ”に基づいて払出モータＭＯを制御して遊技球を払い出す払出制御基板２４０と、遊技者の操作に応答して遊技球を発射させる発射制御基板２５０と、を中心に構成されている。
【００９３】
この実施例では、主制御基板２１０が出力する制御コマンドＣＭＤは、コマンド中継基板と演出インタフェイス基板２７０を経由して、演出制御基板２２０に伝送される。また、演出制御基板２２０が出力する制御コマンドＣＭＤ’は、演出インタフェイス基板２７０を経由して、液晶制御基板２３０に伝送され、主制御基板２１０が出力する制御コマンドＣＭＤ”は、主基板中継基板を経由して、払出制御基板２４０に伝送される。なお、これら主制御基板２１０、演出制御基板２２０、液晶制御基板２３０、及び払出制御基板２４０には、ワンチップマイコンを備えるコンピュータ回路がそれぞれ搭載されている。
【００９４】
上記の回路構成において、主制御部２１０は、遊技盤中継基板２６０を経由して、遊技盤の各遊技部品に接続されている。そして、図柄始動口などの入賞口に内蔵された検出スイッチＳＷのスイッチ信号を受ける一方、電動チューリップを開閉するソレノイドなどを駆動している。
【００９５】
図１４は、遊技盤中継基板２６０の内部構成の要部を図示した回路図である。図柄始動口の検出スイッチＳＷは、近接スイッチ主回路と、近接スイッチ主回路の出力によってＯＮ／ＯＦＦ動作するスイッチングトランジスタＱｅと、保護用のツェナーダイオードＺＤ１と、内部抵抗ｒとで構成され、（＋）端子と（−）端子とが設けられている。そして、検出スイッチＳＷの（＋）端子には、電流制限抵抗（検出抵抗）Ｒ２０を経由して電源電圧Ｖｓ（ＤＣ１２Ｖ）が供給されている。
【００９６】
検出スイッチＳＷに内蔵されたトランジスタＱｅは、定常状態ではＯＮ状態であるが、遊技球を検出した状態では、ＯＦＦ状態に遷移するよう構成されている。そして、トランジスタＱｅがＯＦＦ遷移した状態でも、０．８ｍＡ程度の漏れ電流ＩＯＦＦが、（＋）端子に流れ込むので、検出スイッチＳＷの検出電圧ＶＤＥＴは、遊技球の検出の有無（つまり、トランジスタＱｅのＯＦＦ／ＯＮ状態）に対応して、Ｖｓ−Ｒ２０＊ＩＯＦＦか又はＶｓ−Ｒ２０＊ＩＯＮ［Ｖ］となる。
【００９７】
検出スイッチＳＷの検出電圧ＶＤＥＴは、インタフェイス回路ＩＦを経由することでＴＴＬ(Transistor Transistor Logic)レベルの電圧にレベル変換される。すなわち、インタフェイス回路ＩＦは、２つの電源電圧Ｖｓ（＝ＤＣ１２Ｖ），Ｖｃｃ（＝ＤＣ５Ｖ）を受けて動作しており、遊技球を検出して検出スイッチＳＷの検出電圧ＶＤＥＴがＶＤＥＴ＝Ｖｓ−Ｒ２０＊ＩＯＦＦに増加すると、インタフェイス回路ＩＦの検出出力ＶｏがＨレベルとなり、それ以外の定常時には、インタフェイス回路ＩＦの検出出力ＶｏはＬレベルとなる。
【００９８】
この実施例では、インタフェイス回路ＩＦが、２ＳＴＢ１５５ＡＡ（オムロンアミューズメント（株））で構成されており、(a)電源電圧Ｖｓの低下、(b)検出スイッチＳＷの短絡、(c)検出スイッチＳＷの断線、の何れかの異常を検出して、Ｈレベルの異常検出信号ＥＲ１を出力するよう構成されている。そこで、この異常検出信号ＥＲ１は、インタフェイス回路ＩＦの検出出力Ｖｏと共に、主制御基板２１０の入力ポートに供給されている。異常検出信号ＥＲ１は、定常的にはＬレベルであり、これがＨレベルに変化すると、上記した(a)〜(c)の何れかの異常が発生したことを示すが、それ以上の具体的内容を特定することはできない。
【００９９】
そこで、本実施例では、インタフェイス回路ＩＦの入力側に、断線検出回路ＢＲＫを設けている。断線検出回路ＢＲＫは、電流センス部９０と、異常判定部９１と、異常記憶部９２とを有して構成されている。電流センス部９０は、検出抵抗Ｒ２０（電流制限抵抗）と、ＰチャンネルＭＯＳトランジスタＱｆとを中心に構成されている。また、異常判定部９１は、コンパレータＣＰと、その周辺回路とを中心に構成されている。
【０１００】
図示の通り、トランジスタＱｆのゲート端子には、検出スイッチＳＷの検出電圧ＶＤＥＴが供給され、ソース端子には、電源電圧Ｖｓが供給されている。また、トランジスタＱｆのドレイン端子は、ツェナーダイオードＺＤ２と検出抵抗Ｒ２１の直列回路を経由してグランドに接続されている。そして、ソース端子とゲート端子との間には、検出抵抗Ｒ２０が接続されている。そのため、ソース端子とゲート端子との電圧は、検出スイッチＳＷのトランジスタＱｅがＯＮ状態である定常状態では、Ｒ２０＊ＩＯＮであり、遊技球が検出された時には、Ｒ２０＊ＩＯＦＦに低下する。
【０１０１】
先に説明した通り、検出スイッチＳＷの漏れ電流ＩＯＦＦは、ＩＯＦＦ＝０．８ｍＡ程度であるが、漏れ電流ＩＯＦＦによる電圧降下Ｒ２０＊ＩＯＦＦでもトランジスタＱｆがＯＮ動作するよう検出抵抗Ｒ２０の抵抗値が設定されている。そのため、遊技球中継基板２６０と検出スイッチＳＷとが接続されている限り、トランジスタＱｆは常にＯＮ状態であって、出力抵抗Ｒ２１の検出電圧Ｅｏは、所定レベル（＝Ｖｓ−Ｖｚ）となる。ＶｚはツェナーダイオードＺＤ２の降伏電圧であり、ＯＮ状態のトランジスタＱｆの電圧降下を便宜上ゼロとしている。一方、検出スイッチＳＷが外されるような異常時には、検出抵抗での電圧降下がゼロとなるので、トランジスタＱｆがＯＦＦ状態となる。
【０１０２】
コンパレータＣＰの負入力端子（−）には、他の実施例の場合と同様、出力抵抗Ｒ２１の両端電圧が供給され、正入力端子（＋）には、分圧抵抗Ｒ２２，Ｒ２３によって分圧された基準電圧Ｅｒが供給されている。基準電圧Ｅｒは、ほぼＶｃｃ＊Ｒ２３／（Ｒ２２＋Ｒ２３）であって、所定レベル（＝Ｖｓ−Ｖｚ）の検出電圧Ｅｏより、有意に低い値に設定されている（Ｅｏ＞Ｅｒ）。なお、検出スイッチＳＷが外される異常時には、Ｅｏ≒０となるので、Ｅｒ＞Ｅｏとなる。
【０１０３】
異常記憶部９２は、他の実施例と同様のＲＳフリップフロップで構成されている。すなわち、異常記憶部９２のＳ入力端子は、コンパレータＣＰの出力端子に接続され、Ｒ入力端子には、主制御部２１０が出力するリセット信号ＲＳＴが供給されるようになっている。主制御部２１０は、遊技機の電源投入時に一回だけリセット信号ＲＳＴを出力するが、異常記憶部９２のＲ入力端子には、クリアスイッチＣＬＲの手動操作時にも、リセット信号ＲＳＴが供給される。また、異常記憶部９２のＱ出力端子は、異常検出信号ＥＲ２として、主制御部２１０の入力ポートに接続されている。
【０１０４】
本実施例の断線検出回路ＢＲＫは、上記の通りに構成されているので、異常検出信号ＥＲ２は、電源投入時に異常記憶部９２がリセット信号ＲＳＴを受けた後、正常なＬレベルを維持する筈である。ところが、検出スイッチＳＷが外されたような異常時には、Ｅｒ＞Ｅｏとなるので異常記憶部９２（ＲＳフリップフロップ）がセットされて、異常検出信号ＥＲ２がＨレベルとなる。
【０１０５】
主制御部２１０は、定時的（例えば２ｍＳ毎）に、入力ポートのデータＶｏ，ＥＲ１，ＥＲ２を取得しているので、もし、異常検出信号ＥＲ２がＥＲ２＝Ｈレベルであれば、スロットマシンの場合と同様の異常対応処理を開始することができる。なお、検出スイッチＳＷが外されたような異常時には、異常検出信号ＥＲ１もＨレベルであるので、２つの異常検出信号ＥＲ１，ＥＲ２が共にＨレベルであることを確認した上で、異常対応処理を開始するのが好ましい。このような構成を採ることで、断線検出回路ＢＲＫの誤動作、或いは、インタフェイス回路ＩＦの内部回路の誤動作による不要な異常対応処理を防止することができる。
【０１０６】
また、本実施例では、特に、断線検出回路ＢＲＫを設けているので、検出スイッチＳＷに関連する断線状態や、検出スイッチＳＷの取り外しという極めて重要な異常を特異的に検出することができる。すなわち、インタフェイス回路ＩＦから出力される異常検出信号ＥＲ１は、(a)電源電圧Ｖｓの低下、(b)検出スイッチＳＷの短絡、(c)検出スイッチＳＷの断線、の何れかの異常に反応してＨレベルとなるので、検出スイッチＳＷが外された異常状態を特異的に検出することができない。
【０１０７】
以上、弾球遊技機については、電源遮断機能のない断線検出回路ＢＲＫについて、説明したが、図６（ｂ）と同様の回路構成を採れば、電源遮断機能を実現することができる。
【０１０８】
また、弾球遊技機であるかスロットマシンであるかに拘らず、クリアスイッチＣＬＲは、必ずしも、フリップフロップのＲ端子に接続する必要はない。この場合には、クリアスイッチＣＬＲの出力は、例えば、入力ポートに供給され、クリアスイッチが押されたときに出力ポートからリセット信号ＲＳＴを出力すれば良い。
【０１０９】
なお、図1４に示す断線検出回路ＢＲＫは、必ずしも、これを遊技盤中継基板２６０に設ける必要はなく、主制御基板２１０に設けるのも好適である。また、断線検出回路ＢＲＫは、図柄始動口の検出スイッチ以外の大入賞口スイッチ、払出計数スイッチ等に設けてもよいのは勿論である。
【符号の説明】
【０１１０】
５５  周辺回路
ＰＡＹ  指示信号
５０    上流側回路
９０    電流センス部
９１    異常判定部
９２    異常記憶部
ＳＬ        遊技機（スロットマシン）
【図１】
2010158300.tif 000003
【図２】
2010158300.tif 000004
【図３】
2010158300.tif 000005
【図４】
2010158300.tif 000006
【図５】
2010158300.tif 000007
【図６】
2010158300.tif 000008
【図７】
2010158300.tif 000009
【図８】
2010158300.tif 000010
【図９】
2010158300.tif 000011
【図１０】
2010158300.tif 000012
【図１１】
2010158300.tif 000013
【図１２】
2010158300.tif 000014
【図１４】
2010158300.tif 000015
【図１３】
2010158300.tif 000016